(57)【要約】【課題】耐久性及び強度性で優れ、階段下地と床シ−ト材との接着性で優れ、その床シ−ト材を含めた貼り付け作業性を向上させる段鼻材と、これを用い床シ−ト材と共に問題なく長期に亘り使用できる階段構造を提供する。【解決手段】略９０度の曲折部と水平部と垂直部とを有する複層の合成樹脂からなる段鼻材であって、その水平部の裏面層を曲折部と水平部の端面との距離の１〜５倍の長さで略同厚みで延設させ、水平部の端面にその全長を通して裏面層を一方の側壁とする略コ字形の凹溝を設ける。【選択図】図１
2007262710.tif 000002
【特許請求の範囲】
【請求項１】
略９０度の曲折部と水平部と垂直部とを有する複層の合成樹脂からなる段鼻材であって、その水平部の裏面層を曲折部と水平部の端面との距離の１〜５倍の長さで略同厚みで延設させ、水平部の端面にその全長を通して裏面層を一方の側壁とする略コ字形の凹溝を設けたことを特徴とする段鼻材。
【請求項２】
延設部を含む裏面層には接着性、強度性を有する合成樹脂を、曲折部、垂直部及び表面層には強度性、耐候性及び耐熱性で優れた合成樹脂を、それぞれ選択し双方を同時に二層押し出しして形成したことを特徴とする請求項１に記載の段鼻材。
【請求項３】
垂直部の裏面に粘着材を設けたことを特徴とする請求項１又は２に記載の段鼻材。
【請求項４】
請求項１、２又は３に記載の段鼻材をその曲折部を出隅に合わせて階段下地に貼り付け、その後、床シート材をその一端部を段鼻材の凹溝に差し込み、延設部とこれに隣接する階段下地に貼り付けたことを特徴とする階段構造。
【請求項５】
床シート材を、上段との入り隅までの奥行きで貼り付けたことを特徴とする請求項４に記載の階段構造。
【請求項６】
床シート材を、上段との入り隅に沿って曲折させ上段の段鼻材の垂直部に当接させて貼り付けたことを特徴とする請求項４に記載の階段構造。
【発明の詳細な説明】
【技術分野】
【０００１】
本発明は、階段の意匠性やその昇降時の防滑性、遮音性等機能性を高めるために階段下地に貼り付けて使用する段鼻材とこれを用いた階段構造に関する。
【背景技術】
【０００２】
近年、階段下地の踏み面もしくは踏み面から蹴上げに亘って、昇降時の騒音を軽減したり防滑性を高めたりするために、本出願人が先に特開平０９−１５１５８７号公報、特開平０９−２６４０６１号公報等で提案した階段用床シートを始め、多種多様の合成樹脂、合成ゴム製の床シ−ト材が貼り付けられて使用されている。
【０００３】
このような状況下、床シ−ト材の色、柄、模様等の意匠性も多様化され、これに対応するため、例えば、特開２００４−１９３２０号公報には、階段蹴上げ部と段鼻部とを有する略Ｌ字形状の階段用ステップ材とこれを階段下地に、階段踏み面部としての床材とが、上記ステップ材の長手方向に５〜５０ｍｍ幅で、平行に接合一体化されていることを特徴とする熱可塑性樹脂製の階段用表面被覆材とこれを階段下地に貼り付けた構造が、また、特開２００３−２５３８４０号公報には、床シ−トと階段下地の踏み面が接着剤により接合され、床シートと蹴込みの入隅部をシーリング剤でシールされた階段構造において、上向きスパイク部材が踏み面に固定され、該上向きスパイク部材のスパイクによって床シートが突き刺さった状態で固定された階段構造がそれぞれ開示されている。
【０００４】
しかしながら、両者共に段鼻部と踏み面部が各部材として個別に形成されているものであり、汎用性が大きく多量に使用されている一般的な合成樹脂製の平面床材が容易に転用可能なことで、色、柄、模様等の選択の幅は大きく広がるものの、前者は、両部材を後工程で接合する形態であることから、一工程で一体化され製造された形態のものと比較した場合、強度的に危惧され、また、後者は、スパイク部材を使用することでその手間を要し、その階段構造もスパイク部材が使用できる階段下地に限定される等問題を残している。
【特許文献１】特開２００４−０１９３２０号公報
【特許文献２】特開２００３−２５３８４０号公報
【発明の開示】
【発明が解決しようとする課題】
【０００５】
本発明は、以上の状況に鑑みてなされたものであり、耐久性及び強度性で優れ、階段下地と床シ−ト材との接着性で優れ、その床シ−ト材を含めた貼り付け作業性を向上させる段鼻材と、これを用い床シ−ト材と共に問題なく長期に亘り使用できる階段構造を提供することを目的とする。
【課題を解決するための手段】
【０００６】
上記目的を達成するため、本発明の請求項１に係る段鼻材は、略９０度の曲折部と水平部と垂直部とを有する複層の合成樹脂からなる段鼻材であって、その水平部の裏面層を曲折部と水平部の端面との距離の１〜５倍の長さで略同厚みで延設させ、水平部の端面にその全長を通して裏面層を一方の側壁とするコ字形の凹溝を設けたことを特徴とする。
【０００７】
そして、請求項２に係る段鼻材は、延設部を含む裏面層には接着性、強度性を有する合成樹脂を、曲折部、垂直部及び表面層には強度性、耐候性及び耐熱性で優れた合成樹脂を、それぞれ選択し双方を同時に二層押し出しして形成したことを特徴とする。
【０００８】
上記請求項１と２に係る段鼻材の場合、垂直部の裏面に粘着材を設けることができる。
【０００９】
また、第二本発明の請求項４に係る階段構造は、請求項１、２又は３の段鼻材をその曲折部を出隅に合わせて階段下地に貼り付け、その後、床シート材をその一端部を段鼻材の凹条に差し込み、延設部とこれに隣接する階段下地に貼り付けたことを特徴とする。
【００１０】
この場合、床シート材を、上段との入り隅までの奥行きで貼り付けること、上段との入り隅に沿って曲折させ上段の段鼻材の垂直部に当接させて貼り付けることがぞれぞれできる。
【発明の効果】
【００１１】
本発明の請求項１に係る段鼻材は、略９０度の曲折部と水平部と垂直部とを有する複層の合成樹脂からなる段鼻材であって、その水平部の裏面層を曲折部と水平部の端面との距離の１〜５倍の長さで略同厚みで延設させ、水平部の端面にその全長を通して裏面層を一方の側壁とする横略コ字形の凹溝を設けたことで、階段下地との接触面積が大きくなり、安定した貼り付けが可能になり、既存の布、ゴム、樹脂等その材質を問わず最適な床シート材をその一端部を段鼻材の凹条に差し込み貼り付けることができるので、段鼻材と床シート材との一体性が高まり、その意匠性を向上させることが可能になる。
【００１２】
そして、請求項２に係る段鼻材は、延設部を含む裏面層には接着性、強度性を有する合成樹脂を、曲折部、垂直部及び表面層には強度性、耐候性及び耐熱性で優れた合成樹脂を、それぞれ選択し双方を同時に二層押し出しして形成したことで、丈夫で強く接合している状態が実現でき、且つ、長期に亘り使用できることになる。
【００１３】
上記請求項１と２に係る段鼻材の場合、垂直部の裏面に粘着材を設けることで、段鼻材をその曲折部を出隅に合わせて階段下地に貼り付ける作業を著しく軽減する。
【００１４】
また、第二本発明の請求項４に係る階段構造は、請求項１、２又は３の段鼻材をその曲折部を出隅に合わせて階段下地に貼り付け、その後、床シート材をその一端部を段鼻材の凹条に差し込み、延設部とこれに隣接する階段下地に貼り付けることで、昇降時の騒音を大きく低減させ、段鼻材と床シート材の設計により、防滑性、排水性、意匠性、耐用性等を向上させることが可能になることで、最良の形態として長期に亘り使用できることになる。
【００１５】
この場合、床シート材を、上段との入り隅までの奥行きで貼り付けることで、出隅と踏み面の防滑性、排水性、意匠性を改善することができ、上段との入り隅に沿って曲折させ上段の段鼻材の垂直部に当接させて貼り付けることで、蹴上げを含む階段下地全ての防滑性、排水性、意匠性を改善することができる。
【発明を実施するための最良の形態】
【００１６】
以下、図面を参照して、本発明に係る段鼻材とこれを用いた階段構造の実施形態を詳述する。
【実施例１】
【００１７】
図１(ａ)、(ｂ)は、本発明の段鼻材１の一実施形態を示す断面図と平面図である。
この段鼻材１は、合成樹脂を主成分とし、略９０度の曲折部２と水平部３と垂直部４とを有し、その水平部３の裏面層３０を曲折部２と水平部３の端面３４との距離の１〜５倍(同図では約２．５倍)の長さで略同厚みで延設させて、裏面層３０の一部とする延設部を設け、且つ、水平部３の端面３４にその全長を通して裏面層３０を一方の側壁部３２とする横略コ字形の凹溝３５を設け、同時に、曲折部２の裏面に一定のアール２０を持たせ、水平部３の表面に所定の間隔で複数の防滑用のリブ２１を形成したものである。
この場合、防滑用のリブ２１は、同図のような突条形態の他に独立突起出あっても問題はなく、それ等の形状や大きさも特に限定されるものではない。
【００１８】
このような段鼻材１を形成する合成樹脂には、熱可塑性のポリ塩化ビニル等のビニル系樹脂、ポリエチレン、ポリプロピレン等のオレフィン系樹脂が好適に使用でき、公知の手段によって、これ等熱可塑性合成樹脂を加熱押出し成形、加熱加圧成形することができる。
この場合、防滑用の突起１０は成形加工時に形成でき、また、耐候剤、耐熱剤、充填剤、帯電防止材、防滑材、蓄光剤等を適宜添加、配合すること、これ等剤材を適宜添加、配合した塗膜を表面に形成すること等で、段鼻材１に優れて性能を付与することができる。
【実施例２】
【００１９】
図２は、段鼻材１の他の一実施形態を示す断面図である。
この段鼻材１は、合成樹脂を主成分とする二層体からなり、一つの層となる延設部３３を含む裏面層３０には接着性、強度性を有する合成樹脂を、他の部位となる曲折部２、垂直部４及び表面層３６等には強度性、耐候性及び耐熱性で優れた合成樹脂を、それぞれ選択し双方を同時に二層押し出しして形成し、この垂直部４の裏面に剥離テープ７０を具備したシート状の粘着材７を設けたものである。
【００２０】
このような段鼻材１に成形する合成樹脂には、上記と同様な熱可塑性合成樹脂が好適に使用できるが、各樹脂の物性、延設部３３を含む裏面層３０と他の部位との一体性等を考慮して、双方共にビニル系樹脂、特に塩化ビニル同士を使用する場合は、ビニル系樹脂そのものが接着性で優れることから、裏面層３０に対して曲折部２、垂直部４及び表面層には必要十分な耐候剤、耐熱剤を添加し、同時に強度、この場合は剛性を高めるために無機充填剤を多めに、可塑剤を少なめに配合すればよく、また、双方共にオレフィン系樹脂を使用する場合は、裏面層３０にエチレンメタクリル酸共重合体、曲折部２、垂直部４及び表面層３６等にエチレン酢酸ビニル共重合体の組み合わせが好適となるが、オレフィン系樹脂同士の組み合わせの場合は、エチレン酢酸ビニル共重合体同士は酢酸ビニル含有パーセントの大きい方を裏面層３０に、表面層３６にポリエチレン、ポリプロピレン、ポリブテン等を採用すれば、裏面層３０にエチレン酢酸ビニル共重合体、エチレンメタクリル酸共重合体等が適宜選択できることになる。
【００２１】
このようして本発明の段鼻材１は適宜その最適な形態を設計することができ、その使用時において、階段下地との接触面積が大きくなり、安定した貼り付けが可能になり、既存の布、ゴム、樹脂等その材質を問わず最適な床シート材を選び、その一端部を段鼻材の凹溝３５に差し込み貼り付けることができるので、段鼻材１と床シート材との一体性が高まり、その意匠性も向上し、且つ丈夫で強く接合している状態が実現でき、長期に亘り使用できることになり、他方、垂直部の裏面に粘着材を設けることで、段鼻材１をその曲折部２を出隅に合わせて階段下地に貼り付ける作業が著しく軽減されることになる。
【実施例３】
【００２２】
図３は第二本発明の階段構造８の一実施形態を示す断面図である。
この階段構造８は、上記実施例の段鼻材１をその曲折部２を出隅５０に合わせて階段下地５に貼り付け、その後、表面に凹凸模様６０を設けた床シート材６を、その一端部を段鼻材１の凹溝３５に差し込み、延設部３３の表面とこれに隣接する階段下地５の踏み面５１に、上段との入り隅５２までの奥行きで貼り付けたものである。
【実施例４】
【００２３】
図４は第二本発明の階段構造８の一実施形態を示す断面図である。
この階段構造８は、上記実施例の段鼻材１をその曲折部２を出隅５０に合わせて階段下地５に貼り付け、その後、同様な床シート材６を、その一端部を段鼻材１の凹溝３５に差し込み、延設部３３の表面とこれに隣接する階段下地５の踏み面５１を通して、上段との入り隅５２に沿って曲折させ上段の蹴上げ５３を通し、上段の段鼻材１の垂直部４に当接させて貼り付けたものである。
【００２４】
また、上記実施例３及び４の階段構造８は、屋外又は屋内の階段下地５の少なくとも踏み面５１表面に、段鼻材１と床シート材６を必要充分な強度を有する接着剤を選択して貼り付けるもので、この場合、図示省略するが、接合剤として、階段下地５の出隅５０と段鼻材１の曲折部２とはシーリング剤８、階段下地５の蹴上げと段鼻材１の垂直部４とは前図２で記載のテープ状の粘着剤７をそれぞれ選択して床シート材６の裏全面を階段下地５に貼り付けることで、段鼻材１と床シート材６と階段下地５とはより強固に接合されることになる。
【００２５】
また、階段下地５の材質も、鋼材、コンクリ−ト、木材等特に問われるものでないが、接合の相性、強度、耐用を考慮して適宜接合剤を選択すればよいことになる。
【００２６】
このような階段構造８は、昇降時の騒音を大きく低減させ、段鼻材１と床シート材６の設計により、防滑性、排水性、意匠性、耐用性等を向上させることが可能になることで、最良の形態として長期に亘り使用できることになり、実施例３の場合、床シート材６を、上段との入り隅５２までの奥行きで貼り付けることで、出隅５０と踏み面５１の防滑性、排水性、意匠性を改善することができ、また、実施例４の場合、上段との入り隅に沿って曲折させ上段の段鼻材に当接させて貼り付けることで、蹴上げ５３を含む階段下地５全ての防滑性、排水性、意匠性等を改善することができる。
【００２７】
本発明の段鼻材１、階段構造８で使用する床シ−ト材６は、上述の主成分合成樹脂に可塑剤、充填材、着色剤、耐候剤、強化剤等の機能向上剤を加えることによって、耐磨耗性、耐用性、踏み圧感、防音性、強度性等の諸物性を改善することが可能であり、更に滑り止めとなる凹凸模様６０の形状や配列を換えることや、床シ−ト材６表面の配色を考慮することによってその意匠性を改善することも可能である。
また、上記実施例３及び４の階段構造８においては、段鼻材１と床シ−ト材６の全ての部分を階段下地５に貼り付けることが可能であり、段鼻材１が上記合成樹脂の選定により高強度を有する場合は、階段下地５の踏み面５１のみに貼り付けるだけで、長期間の昇降の踏み圧に耐えうることが可能になる。
【００２８】
以上、本発明の段鼻材１とこれを用いた階段構造１０について、それぞれ実施例に基づいて説明したが、本発明は上記実施例に記載した構成に限定されるものではなく、その趣旨を逸脱しない範囲において適宜その構成を変更することができる。
【産業上の利用可能性】
【００２９】
本発明の段鼻材１は、床シ−ト材に換えて布地カーペットや板材と組み合わせて使用することも可能なことから、その階段構造１０を含め、室内階段まで広範囲に利用することができる。
【図面の簡単な説明】
【００３０】
【図１】本発明の段鼻材を示す、(ａ)は断面図、(ｂ)は平面図である。
【図２】本発明の段鼻材を示す断面図である。
【図３】本発明の階段構造を示す断面図である。
【図４】本発明の階段構造を示す断面図である。
【符号の説明】
【００３１】
１    段鼻材
１０  リブ
２    曲折部
２０  アール
３    水平部
３０  裏面層
３１  裏面水平部
３２  凹溝側壁部
３３  延設部
３４  水平部の端面
３５  凹溝
３６  表面層
４    垂直部
５    階段下地
５０  出隅
５１  踏み面
５２  入り隅
５３  蹴上げ
６    床シート材
６０  凹凸模様
７    粘着材
７０  剥離テープ
８    階段構造
【図１】
2007262710.tif 000003
【図２】
2007262710.tif 000004
【図３】
2007262710.tif 000005
【図４】
2007262710.tif 000006